Podtech/llm-jp-corpus-v4-ja_patent huggingface dataset:
(57)【要約】      （修正有）【課題】会食時のマスク着用を促し、感染症蔓延予防を目的とする会食用マスクを提供する。【解決手段】マスク２枚を加工接合し、開閉可能にした衛生マスクである。固定側マスクを加工し、可動側マスクに紐を識別する仕組みを付け、固定側マスクと可動側マスクを接合し、短く確実な動作でマスクを開閉させ、会食中に口、鼻が露出する時間を最小限にし、感染症蔓延と予防が出来るようにした。【選択図】図３
0003233975.tif 000002
【実用新案登録請求の範囲】
【請求項１】
マスク２枚を使用し、それぞれを固定側、可動側とし加工接合して開閉可能とし、可動側マスクの耳掛け紐に識別用の仕組みを作った衛生マスク。
【考案の詳細な説明】
【技術分野】
【０００１】  本考案はマスク２枚を加工接合し、開閉可能にした衛生マスクである。
【背景技術】
【０００２】  新型コロナウイルス蔓延の原因の中で最大の問題のひとつが会食中にマスクを外す事である。対応策として、口に食べ物を運ぶ時だけマスクの片側の紐を外す行動が考えられるが手の動きが大きく、片方の耳に掛ったマスクは不安定である。あるいはマスクを口から顎へ移動させるという動作も行われているが顔に付着した細菌類が直接口に入ってしまう可能性が有り不衛生である。
【考案の概要】
【考案が解決しようとする課題】
【０００３】  会食中のマスク装着を推進し、食べ物を口に運ぶ時だけマスクを外す面倒な動作を自然に出来るようにしたい。
【課題を解決するための手段】
【０００４】  本考案は固定側マスクの口から顎に当たる部分の大半を切り取り、可動側マスクの向かって右側の紐を切断し右端を固定側のマスクの右側に接合する。固定側マスクの紐を両耳に、可動側マスクの右側の紐（装着後）を右耳に掛け、左手で外して使用する。
不織布、布、ウレタン等、マスクの素材は選ばない。
【考案の効果】
【０００５】  短い動作で開閉出来、口、鼻が露出する時間が減った。右耳には紐が２本掛る事になり、開ける時に可動側マスクの紐を識別する必要が有るので、可動側マスクの紐の中央より下に結び目を作り指で分かるようにした。
【図面の簡単な説明】
【０００６】
【図１】一般的な不織布を使った場合の固定側マスクの正面図。
【図２】可動側マスクの向かって右側の紐を切断し、左側の紐の中央より下側に結び目を作った正面図。
【図３】固定側マスクと可動側マスクを接着した正面図。
【図４】マスクを装着し、食事する時のイメージ。
【考案を実施するための形態】
【０００７】  固定側のマスクは左右の紐を掛け常に装着状態にする。左手で結び目の有る紐を右耳から外し開け、右手で食べ物、飲み物を口に入れ、直ぐに閉じ紐を右耳に戻す。
【実施例】
【０００８】  以下、添付図面に従って一実施例を説明する。［図１］は土台となる固定側マスク。顔から顎に当たる部分の大半が切り取られている。使用するマスクに依るが、１の長さは２ｃｍ位。２の長さは紐の保持に影響が出ない幅。３の長さは４ｃｍ位。［図２］可動側マスクの向かって右側の紐を切断し、左側の紐の中央下側に結び目１を作った状態。［図３］固定側マスクの口から顎に当たる部分が切り取られている為、顔に装着すると１と２の部分が開く。よって可動側マスクの右端を斜めにオフセットして２の部分に接合した状態。
接合方法は縫製が望ましいが、不織布は接着材、ホチキス。ウレタンは接着材でも可能である。
本考案は右利きを想定しているが［図１］の切り取り部分、［図２］の紐、［図３］の接合部分を左右反対にすれば左利き用にする事も可能である。
【図１】
0003233975.tif 000003
【図２】
0003233975.tif 000004
【図３】
0003233975.tif 000005
【図４】
0003233975.tif 000006
(57)【要約】      （修正有）【課題】寝具の襟当てを交換する作業において、縫い付ける作業と縫糸の取替作業を容易にする襟当て交換用二本針を提供する。【解決手段】長さ約２センチの太めの針２二本を約１センチ離して固定し、針先に糸を通すための大きめの穴３を設けた襟当て交換用二本針であり二本の針２の穴３に約１０センチに切った糸４を渡し、そのまま布地５の裏側から突き通す。表側に突き出た針穴３の糸４を外し、通した針２を抜き取る。外した糸４は結び、これで縫い付けの一箇所が終了する。【選択図】図２
0003233909.tif 000002
【実用新案登録請求の範囲】
【請求項１】
縦約５ミリ、横約２センチ、高さ約１．５センチの台の上部中央に長さ約２センチの針２本を、約１センチ離して針先を上方に向け、垂直に固定し、針の先端部分に針穴を設ける。以上を特徴とする二本針。
【考案の詳細な説明】
【技術分野】
【０００１】  本考案は縫針２本を１個に固定した二本針に関する。
【背景技術】
【０００２】  従来、布団カバー等に襟当てを縫い付ける際、普通の縫針を使い、一箇所ずつを縫い付ける作業を１０回以上繰り返し、そのつど針の糸も取り替える。
【先行技術文献】
【特許文献】
【０００３】
【特許文献１】特開２０１４−０７９３５４号広報
【考案の概要】
【考案が解決しようとする課題】
【０００４】  通常の針は直線を縫う場合は扱いやすいが、見えにくい場所を感覚をたよりに針を上下させる作業や縫糸を取り替える作業は時間と根気を必要とする。
【課題を解決するための手段】
【０００５】  長さ約２センチの二本の針を約１センチ離して台に固定し、針の先端部分に針穴を設ける。使用の際は、二本の針先の針穴に長さ約１０センチに切った縫い糸を渡し、そのまま布地の裏側から表側に突き通す。表側に突き出た針穴の糸を外せば、針だけを抜き取れる。外した二本の糸はしっかり結んで二枚の布の縫い付けが終了。
【考案の効果】
【０００６】  通常の縫針は細いため、直線は縫いやすいが上下方向には縫いにくい。
本考案は二本の針を同時に二枚の布地の裏側から突き通し、表側に突き出た針穴の糸を外して結び、一箇所の縫い付けを終了する。【０００７】
【考案を実施するための形態】
【０００８】  本考案は、長さ約２センチ、太さ約２ミリの二本の針２を約１センチ離して固定し、針先の部分に針穴３を設ける。針穴は通常の針穴より約１．５倍程度大きくする事で、糸を通しやすくする。
【０００９】  本考案を使用する際は、長さ約１０センチに切った縫糸４を二本の針の穴３に通して横に渡す。この状態で布団カバー等の裏側から表側に二本の針２を突き通す（図２）。
表側に突き出た針穴から糸４を外せば、針の本体１は引き抜ける。
外した二本の糸４をしっかり結び、一箇所を終了する。
【図面の簡単な説明】
【００１０】
【図１】本考案の針を斜め上から見た見取り図
【図２】二枚の布地に本考案の針を使用している側面の状態図
【符号の説明】
【００１１】１・・・・・・本体の持ち手部分
２・・・・・・針
３・・・・・・糸を渡す針穴
４・・・・・・縫糸
５・・・・・・布地
【図１】
0003233909.tif 000003
【図２】
0003233909.tif 000004
【手続補正書】
【提出日】令和2年12月14日(2020.12.14)
【手続補正１】
【補正対象書類名】実用新案登録請求の範囲
【補正対象項目名】全文
【補正方法】変更
【補正の内容】
【実用新案登録請求の範囲】
【請求項１】
２本の針の先端部分に針穴を設け、針穴から針穴に糸を渡した２本の針を布地に貫通させ、針穴の糸を外して留める。
このような特徴を持つ襟当て交換用二本針。
【手続補正書】
【提出日】令和3年2月22日(2021.2.22)
【手続補正１】
【補正対象書類名】実用新案登録請求の範囲
【補正対象項目名】全文
【補正方法】変更
【補正の内容】
【実用新案登録請求の範囲】
【請求項１】
組み合わせた２本の針で一箇所を縫い合わせる特徴を持つ襟当て交換用二本針。
【手続補正書】
【提出日】令和3年5月31日(2021.5.31)
【手続補正１】
【補正対象書類名】実用新案登録請求の範囲
【補正対象項目名】全文
【補正方法】変更
【補正の内容】
【実用新案登録請求の範囲】
【請求項１】
１センチ間隔に固定した２本の針の先端に針穴を設けた特徴を持つ襟当て交換用二本針。
(57)【要約】      （修正有）【課題】フェースシールドに吸排気機能及び、回転機構を付け飲食店でのウイルス拡散を低減させる、吸排気機能付き開閉可能フェースシールドを提供する。【解決手段】空気清浄機８０１から送られてきた空気を口元に送る事により、ウイルスが口内から侵入する事を防ぎ、感染者の息が空気清浄機を通して、外気に排出する事により、ウイルスの拡散を防ぐ。飲食物を口元に近づけるとフェースシールドが自動的に開き、飲食をしていない会話時に閉じる事により、会話中のウイルス拡散防止に役立つ。【選択図】図８
0003233910.tif 000002
【実用新案登録請求の範囲】
【請求項１】
空気清浄機により、有害な成分を除去した空気を口元に供給し、ウイルス感染者が装着することにより、ウイルスを除去した空気を排出する事ができるフェースシールド
【請求項２】
口元に飲食物が近づくと自動的に開く開閉自在のフェースシールド
【考案の詳細な説明】
【技術分野】
【０００１】本考案は、吸排気及び開閉機能を有したフェースシールドに関するものである
【背景技術】
【０００２】食事中及び、カラオケ中等にはマスクやフェースシールドをしない為、ウイルス感染者が会話している時にエアロゾルによりウイルス感染を拡大される
【考案の概要】
【考案が解決しようとする課題】
【０００３】飲食店でのウイルスの感染拡大を防ぐ
【課題を解決するための手段】
【０００４】フェースシールドに吸排気機能及び、容易に開閉できる機構を設ける
【考案の効果】
【０００５】飲食中もフェースシールドを装着する事ができ、  感染者が会話時にウイルスを拡散する事を低減させる。  また、空気清浄機により浄化された空気のみ吸入する事により、感染を防ぐ。
【図面の簡単な説明】
【０００６】
【図１】本考案のフェースシールドを装着し閉じた状態の正面図
【図２】本考案のフェースシールドを装着し閉じた状態の右側面図
【図３】本考案のフェースシールドを装着し閉じた状態の左側面図
【図４】本考案のフェースシールドを装着し開いた状態の正面図
【図５】本考案のフェースシールドを装着し開いた状態の右側面図
【図６】本考案のフェースシールドを装着し開いた状態の左側面図
【図７】ＵＶＣ−ＬＥＤ空気清浄機断面図
【図８】構想図
【図９】空気圧回路図
【図１０】電気ブロック図
【考案を実施するための形態】
【０００７】口元から両耳辺りにかけて湾曲したアクリル管に対し、口元に吸気及び排気口を設ける。その端にロータリーエルボを接続し、さらに空気清浄機を接続する事により、開閉機能及び空気清浄機能を持たせる。
口元にセンサを配置しＤＣソレノイドを駆動する事により、自動開閉が可能になる
【実施例】
【０００８】以下添付図面に従って実例を説明する。１０３排気用アクリル管、１０５吸気用アクリル管、でありそれぞれ２０２と３０１のロータリーエルボに接続されており、１０６シールドと一体として、ロータリーエルボを軸として回転できる【０００９】口の前方にある、１０９投光器と１０４受光機の間に物があると、２０７制御基板により２０１ＤＣソレノイド及び３０１ＤＣソレノイドのシャフトを引き方向に動作させ、その結果シールド構造を開く方向に回転される。【００１０】１０９投光器と１０４受光機の間から検出物が無くなると、一定時間後に、ＤＣソレノイドが原点（伸び方向）に戻り、シールド構造が回転し閉じる
遅延時間は２０７制御基板のトリマ抵抗により調整が可能【００１１】口から吐かれた息は、１０２排気口を通り、２０４ＵＶＣ  ＬＥＤ空気清浄機を介した後、２０６フィルタを通過後、２０５ＤＣファンにより外部へ排出される。【００１２】３０３ＤＣファンから取り込まれた空気は、３０４フィルタを通過後、３０５ＵＶＣ  ＬＥＤ空気清浄機を通り１０７吸気孔から口へ供給される。【００１３】２０８方向切替弁を切り替える事により、２１１フレキシブルチューブを介し、８０１市販の空気清浄機より、排出するする事ができる。【００１４】３０６方向切替弁を切替る事により、８０１市販の空気清浄機より２１１フレキシブルチューブを介し、空気を供給する事ができる。
【図１】
0003233910.tif 000003
【図２】
0003233910.tif 000004
【図３】
0003233910.tif 000005
【図４】
0003233910.tif 000006
【図５】
0003233910.tif 000007
【図６】
0003233910.tif 000008
【図７】
0003233910.tif 000009
【図８】
0003233910.tif 000010
【図９】
0003233910.tif 000011
【図１０】
0003233910.tif 000012
【手続補正書】
【提出日】令和3年5月8日(2021.5.8)
【手続補正１】
【補正対象書類名】実用新案登録請求の範囲
【補正対象項目名】全文
【補正方法】変更
【補正の内容】
【実用新案登録請求の範囲】
【請求項１】
フェースシールドに、空気清浄機に接続可能な吸気及び排気用の構造を設け、空気清浄機からの出力をフェースシールドの吸気側に接続する事によりフェースシールド内に、クリーンな空気を供給する事ができ、空気清浄機の入力を、フェースシールドの排気側に接続する事によりフェースシールドの装着者からの息に含まれる有害な物質を除去した空気を排出する事ができる空気清浄機接続機構付きフェースシールド
【請求項２】
シールドが上下方向(開閉方向)に回転可能な軸を設け、シールドを回転する為の動力(人の指又はモータ等による力)を加える事により、開閉する事ができる開閉機構付きフェースシールド
【手続補正書】
【提出日】令和3年7月13日(2021.7.13)
【手続補正１】
【補正対象書類名】実用新案登録請求の範囲
【補正対象項目名】全文
【補正方法】変更
【補正の内容】
【実用新案登録請求の範囲】
【請求項１】
フェースシールドに、空気清浄機に接続可能な吸気及び排気用の構造を設け、空気清浄機からの出力をフェースシールドの吸気側に接続する事によりフェースシールド内に、クリーンな空気を供給する事ができ、空気清浄機の入力を、フェースシールドの排気側に接続する事によりフェースシールドの装着者からの息に含まれる有害な物質を除去した空気を排出する事ができる空気清浄機接続機構付きフェースシールド。
【請求項２】
シールドが上下方向(開閉方向)に回転可能な軸を設け、シールドを回転する為の動力(人の指又はモータ等による力)を加える事により、開閉する事ができる開閉機構が設けられた、請求項1に記載の空気清浄機接続機構付きフェースシールド。
(57)【要約】【課題】銅イオンを十分に溶出でき、かつ簡単に設置できる蚊用防除具を提供する。【解決手段】  蚊用防除具は、屋外の水たまりに設置され、銅パイプ１を渦巻状に形成してなる。初期状態の銅パイプ１は平面的な渦巻状とされ、渦巻の中心側に位置する銅パイプ１の一端２を高さ方向に変位させると、立体的な渦巻状となる。防除具を雨水枡５の底に置くだけで設置できる。防除具は水に浸かり、銅パイプ１の外表面および内表面に水が接触する。銅イオンが多く溶出して、水中のボウフラが死滅する。【選択図】図４
0003233940.tif 000002
【実用新案登録請求の範囲】
【請求項１】
屋外の水たまりに設置される蚊用防除具であって、銅パイプを渦巻状に形成してなることを特徴とする蚊用防除具。
【請求項２】
渦巻の中心側に位置する銅パイプの一端が高さ方向に変位可能とされたことを特徴とする請求項１記載の蚊用防除具。
【請求項３】
初期状態の銅パイプは平面的な渦巻状とされることを特徴とする請求項１または２記載の蚊用防除具。
【考案の詳細な説明】
【技術分野】
【０００１】
本考案は、雨水桝のような屋外の水たまりに発生するボウフラを駆除するための蚊用防除具に関する。
【背景技術】
【０００２】
家の周りには、雨水桝などのような水たまりが存在する。このような屋外の水たまりには、ボウフラが生息し、蚊が発生する。蚊の防除のために、銅の抗菌作用を利用して、ボウフラを駆除することが行われている。特許文献１には、雨水桝に板、網、棒、管などの形状の銅部材が着脱可能に設けられた防除具が記載されている。銅部材が水に浸漬されることにより、銅イオンが溶出し、水中のボウフラが死滅する。
【先行技術文献】
【特許文献】
【０００３】
【特許文献１】特開２０００−１５４５８９号公報
【考案の開示】
【考案が解決しようとする課題】
【０００４】
上記の銅部材の形状では、雨水桝で使用できる大きさが限定され、水に接触する表面積が銅イオンによる抗菌作用の効果を十分に発揮させることができない。また、銅部材の取付も困難である。そこで、本考案は、上記に鑑み、銅イオンを十分に溶出でき、かつ簡単に設置できる蚊用防除具の提供を目的とする。
【課題を解決するための手段】
【０００５】
本考案の蚊用防除具は、屋外の水たまりに設置され、銅パイプを渦巻状に形成してなるものである。そして、渦巻の中心側に位置する銅パイプの一端が高さ方向に変位可能とされ、初期状態の銅パイプは平面的な渦巻状とされる。
【０００６】
銅パイプの一端を高さ方向に変位させると、立体的な渦巻状となり、深い水たまりの底に置くだけで、設置が容易となる。そして、防除具は水に浸かり、銅イオンが溶出して、水中のボウフラが死滅する。
【考案の効果】
【０００７】
本考案によると、防除具を渦巻状の銅パイプから形成することにより、水との接触面積が増え、銅イオンの溶出量が増え、抗菌作用を高めることができる。
【図面の簡単な説明】
【０００８】
【図１】本考案の実施形態の蚊用防除具の平面図
【図２】扁平な渦巻状の防除具の斜視図
【図３】立体的な渦巻状の防除具の斜視図
【図４】雨水枡に設置した防除具を示す図
【考案を実施するための最良の形態】
【０００９】
本考案に係る蚊用防除具の実施形態を図１、２に示す。蚊用防除具は、銅パイプ１を渦巻状に形成したものであり、屋外の水たまりに設置される。銅パイプ１は、銅製あるいは銅合金製の直径６〜１６ｍｍ、孔径４〜１４ｍｍのパイプであり、旋回するにつれて中心から遠ざかるように銅パイプ１の一端から曲げ加工されて、銅パイプ１の他端が外周にくる渦巻状に形成される。
【００１０】
この防除具は、図２に示すように、初期状態では平面的な渦巻状とされる。このとき、渦巻の中心側にある銅パイプ１の一端２が高さ方向に変位可能とされる。このように扁平な防除具は嵩張らないので、持ち運びが容易であり、積み重ねて保管することが可能である。
【００１１】
そして、銅パイプ１の一端２を引き上げて、一端２を高さ方向に変位させると、図３に示すように、一端２が上側、他端３が下側に位置する立体的な渦巻状になる。このような下側が大径となる防除具を水たまりに置くので、安定して設置でき、水が流入してきても、水たまり内を移動するだけで、倒れることはない。したがって、一度設置すれば、長く抗菌作用を発揮させることができる。
【００１２】
図４に示すように、水たまりの一つである雨水桝５内に防除具を設置する。図中、６は流入口、７は排出口、８は蓋である。このように、防除具を雨水桝５の底に置くだけで、簡単に設置できる。銅パイプ１の一端２を持って置くことにより、深い所でも設置が容易となる。防除具は、雨水桝５に溜まっている水に浸かる。銅パイプ１から銅イオンが溶出し、抗菌作用が発揮され、ボウフラを死滅させることができる。
【００１３】
そして、銅パイプ１を使用することにより、外表面だけでなく内表面も水に浸かるので、水との接触面積が増える。しかも、防除具を渦巻状に形成しているので、雨水桝５に入れた場合、直線状のものに比べて、水との接触面積を増やすことができる。したがって、銅イオンの溶出量が多くなり、抗菌作用が高まる。
【００１４】
ところで、雨水枡５に土砂などの沈殿物が溜まってくると、防除具の下部が覆われる。しかし、防除具の上端が排水口７よりも上側に位置していると、防除具の上部は沈殿物に覆われず、水に浸かる。そこで、排水口７の位置に応じて銅パイプ１の一端を変位させ、防除具の上端が排水口７よりも上側に位置させる。したがって、防除具は必ず水に浸かり、銅パイプ１から銅イオンが溶出して、ボウフラを死滅させることができる。
【００１５】
なお、本考案は、上記実施形態に限定されるものではなく、本発明の範囲内で上記実施形態に多くの修正および変更を加え得ることは勿論である。防除具を設置できる水たまりとして、雨水桝以外に手水鉢、バケツ、タンクなどがある。植木鉢の皿のような底が浅い水たまりに設置する場合、初期状態の防除具、すなわち扁平な防除具を水たまりに設置すればよい。防除具全体が水に浸かる。
【符号の説明】
【００１６】
１    銅パイプ
２    一端
３    他端
５    雨水枡
６    流入口
７    排水口
８    蓋
【図１】
0003233940.tif 000003
【図２】
0003233940.tif 000004
【図３】
0003233940.tif 000005
【図４】
0003233940.tif 000006